(57)【特許請求の範囲】
【請求項１】
人工養殖用温調水産温室であって、主体と前記主体に固定された天井とを含み、前記天井が透明となっており、前記主体の中には養殖空間が設置され、前記養殖空間の底面には階段が固定的に設置され、前記階段の中には給排水機構が設置され、前記養殖空間のうち頂部に近接したところには梁が設置され、前記梁が左右に延びており、前記養殖空間の左右両側がそれぞれ前記養殖空間の左右内壁と固定され、前記梁の頂面には固定箱が固定的に設置され、前記固定箱の中には給餌機構が設置され、前記給餌機構は回転可能に設置された回転スリーブを含み、前記回転スリーブの底部面には傾斜板が固定的に設置され、前記傾斜板が傾斜しており、前記回転スリーブの底部が半分程度で開口しているため、飼料が噴出でき、
前記固定箱の左右両側には温調機構が設置され、前記温調機構が温室の内部に温調を行うことができ、前記主体の左右両側にはいずれも換気箱が固定的に設置され、前記換気箱の中には換気機構が設置され、前記換気機構は回転可能な封閉板と回転可能な排気ファンとを含み、前記排気ファンの回転により空気を排出でき、換気を実現し、左右両側の前記換気機構は同一動力源により駆動されることを特徴とする人工養殖用温調水産温室。
【請求項２】
前記固定箱の中にはＬ型空間が形成されており、前記Ｌ型空間の左側壁体の中には動力モータが固定的に植設され、前記動力モータの右側面には動力歯車が伝動可能に連結され、前記動力歯車が前記Ｌ型空間の内部に位置し、前記回転スリーブが前記Ｌ型空間の底壁の中に回転可能に設置され、且つ前記回転スリーブが上下に延びており、前記回転スリーブの頂部の延びた部分が前記Ｌ型空間の中に伸びており且つ前記回転スリーブの頂部の延びた部分の末端にはフェースギヤが設置され、前記フェースギヤが前記動力歯車と噛み合っていることを特徴とする請求項１に記載の人工養殖用温調水産温室。
【請求項３】
前記Ｌ型空間の頂壁の中には空気加圧ポンプが固定的に植設され、前記空気加圧ポンプの底部には給餌管が固定的に設置され、前記給餌管が前記回転スリーブの中に伸びており、前記空気加圧ポンプの右側の前記固定箱の中には飼料空間が形成されており、前記空気加圧ポンプの頂部には飼料吸い管が固定的に設置され、前記飼料吸い管が右側に曲がって前記飼料空間の中に伸びており、前記飼料空間の後ろ側を開けて前記飼料空間の中に飼料を添加することができることを特徴とする請求項２に記載の人工養殖用温調水産温室。
【請求項４】
前記梁の底面には二つの管柱が解体できるように装着され、二つの前記管柱が左右対称となり、前記管柱の底面にはいずれもトレイが固定的に設置され、前記トレイには緑色植物を置くことができることを特徴とする請求項１に記載の人工養殖用温調水産温室。
【請求項５】
前記温調機構は左右対称の二つの温調ユニットを含み、二つの前記温調ユニットはいずれも前記梁に固定的に設置され、前記温調ユニットは熱気と冷気を放出でき、前記天井には吸気管路が固定的に設置され、前記吸気管路の中には逆止弁が固定的に設置され、前記逆止弁により空気が外界から養殖空間に入ることしかできないことを特徴とする請求項１に記載の人工養殖用温調水産温室。
【請求項６】
前記階段の頂面は階段型となっており、前記階段の内部において底部に近接したところには給排水管路が配置され、前記給排水管路の左側が後に延びており、且つ前記給排水管路の後ろ側末端を開けたり閉じたりすることができ、前記給排水管路の中には濾過網が固定的に設置され、前記給排水管路の中にはまた水ポンプが固定的に設置され、前記水ポンプが前記濾過網の左側に位置していることを特徴とする請求項１に記載の人工養殖用温調水産温室。
【請求項７】
二つの前記換気箱のうち互いに遠離した側にはいずれも穴付き固定板が固定的に設置され、前記換気箱の中には換気空間が設置され、前記封閉板が前記換気空間の中に回転可能に設置され、各前記換気空間の中にはいずれも上下対称となった二つの前記封閉板が設置され、前記封閉板と前記穴付き固定板との間にはばねが装着され、正常状態において、二つの前記封閉板が前記換気空間を封閉することを特徴とする請求項１に記載の人工養殖用温調水産温室。
【請求項８】
前記養殖空間の左右両側面にはいずれも排気空間が設置され、前記排気空間が前記換気空間と前記養殖空間とを連通しており、前記排気空間の中にはいずれも支持柱が固定的に設置され、前記支持柱の中にはいずれもファン軸が回転可能に設置され、二つの前記ファン軸のうち互いに遠離した側の面にはいずれも排気ファンが固定的に設置され、二つの前記ファン軸の互いに近接した側の面にはいずれも従動プーリが固定的に設置され、前記排気空間の底壁にはいずれもベルト空間が設置され、二つの前記ベルト空間の間には左右に延びた動力軸が回転可能に設置され、左側の前記ベルト空間の左側の壁体の中には換気モータが固定的に植設され、前記動力軸の左側の延びた部分と前記換気モータとが伝動可能に連結され、前記動力軸のうち前記ベルト空間の中に位置した部分の外周にはいずれも動力プーリが固定的に設置され、前記動力プーリと前記従動プーリとがベルトにより連結されていることを特徴とする請求項７に記載の人工養殖用温調水産温室。
【発明の詳細な説明】
【技術分野】
【０００１】
本願発明は水産養殖技術分野に関し、具体的には人工養殖用温調水産温室に関する。
【背景技術】
【０００２】
水産養殖とは人為制御のもとで水生動植物を繁殖、栽培また収穫する生産活動であり、ほとんどの水産養殖は一般により小さい水中において給餌、施肥といった方法で水産物を養成する。
現在使われているのは温室で養殖を行うが、伝統的な水産養殖の温室のほとんどは鉄質又は木質のアーチバーにプラスチックフィルムを敷いたもので、密封性が低く、温室内の温度も調節できず、しかも大部分の水産温室は手動で温室のドアを開けて換気する必要があり、自動化程度が低く、水換えが不便で水産物の質に影響を与え、養殖の効率と稼ぎ高を低下させる。
【先行技術文献】
【特許文献】
【０００３】
【特許文献１】中国特許出願公開第１０４０１２４３１号明細書
【発明の概要】
【発明が解決しようとする課題】
【０００４】
本願発明の目的は人工養殖用温調水産温室を提供し、現有技術の上記の問題を解決する。
【課題を解決するための手段】
【０００５】
本発明は以下の技術プランを提供する：本願発明の人工養殖用温調水産温室は、主体と前記主体に固定された天井とを含み、前記天井が透明となっており、前記主体の中には養殖空間が設置され、前記養殖空間の底面には階段が固定的に設置され、前記階段の中には給排水機構が設置され、前記養殖空間のうち頂部に近接したところには梁が設置され、前記梁が左右に延びており、前記養殖空間の左右両側がそれぞれ前記養殖空間の左右内壁と固定され、前記梁の頂面には固定箱が固定的に設置され、前記固定箱の中には給餌機構が設置され、前記給餌機構は回転可能に設置された回転スリーブを含み、前記回転スリーブの底部面には傾斜板が固定的に設置され、前記傾斜板が傾斜しており、前記回転スリーブの底部が半分程度で開口しているため、飼料が噴出でき、前記固定箱の左右両側には温調機構が設置され、前記温調機構が温室の内部に温調を行うことができ、前記主体の左右両側にはいずれも換気箱が固定的に設置され、前記換気箱の中には換気機構が設置され、前記換気機構は回転可能な封閉板と回転可能な排気ファンとを含み、前記排気ファンの回転により空気を排出でき、換気を実現し、左右両側の前記換気機構は同一動力源により駆動される。
【０００６】
前述した技術プランの上で、前記固定箱の中にはＬ型空間が形成されており、前記Ｌ型空間の左側壁体の中には動力モータが固定的に植設され、前記動力モータの右側面には動力歯車が伝動可能に連結され、前記動力歯車が前記Ｌ型空間の内部に位置し、前記回転スリーブが前記Ｌ型空間の底壁の中に回転可能に設置され、且つ前記回転スリーブが上下に延びており、前記回転スリーブの頂部の延びた部分が前記Ｌ型空間の中に伸びており且つ前記回転スリーブの頂部の延びた部分の末端にはフェースギヤが設置され、前記フェースギヤが前記動力歯車と噛み合っている。
【０００７】
前述した技術プランの上で、前記Ｌ型空間の頂壁の中には空気加圧ポンプが固定的に植設され、前記空気加圧ポンプの底部には給餌管が固定的に設置され、前記給餌管が前記回転スリーブの中に伸びており、前記空気加圧ポンプの右側の前記固定箱の中には飼料空間が形成されており、前記空気加圧ポンプの頂部には飼料吸い管が固定的に設置され、前記飼料吸い管が右側に曲がって前記飼料空間の中に伸びており、前記飼料空間の後ろ側を開けて前記飼料空間の中に飼料を添加することができる。
【０００８】
前述した技術プランの上で、前記梁の底面には二つの管柱が解体できるように装着され、二つの前記管柱が左右対称となり、前記管柱の底面にはいずれもトレイが固定的に設置され、前記トレイには緑色植物を置くことができる。
【０００９】
前述した技術プランの上で、前記温調機構は左右対称の二つの温調ユニットを含み、二つの前記温調ユニットはいずれも前記梁に固定的に設置され、前記温調ユニットは熱気と冷気を放出でき、前記天井には吸気管路が固定的に設置され、前記吸気管路の中には逆止弁が固定的に設置され、前記逆止弁により空気が外界から養殖空間に入ることしかできない。
【００１０】
前述した技術プランの上で、前記階段の頂面は階段型となっており、前記階段の内部において底部に近接したところには給排水管路が配置され、前記給排水管路の左側が後に延びており、且つ前記給排水管路の後ろ側末端を開けたり閉じたりすることができ、前記給排水管路の中には濾過網が固定的に設置され、前記給排水管路の中にはまた水ポンプが固定的に設置され、前記水ポンプが前記濾過網の左側に位置している。
【００１１】
前述した技術プランの上で、二つの前記換気箱のうち互いに遠離した側にはいずれも穴付き固定板が固定的に設置され、前記換気箱の中には換気空間が設置され、前記封閉板が前記換気空間の中に回転可能に設置され、各前記換気空間の中にはいずれも上下対称となった二つの前記封閉板が設置され、前記封閉板と前記穴付き固定板との間にはばねが装着され、正常状態において、二つの前記封閉板が前記換気空間を封閉する。
【００１２】
前述した技術プランの上で、前記養殖空間の左右両側面にはいずれも排気空間が設置され、前記排気空間が前記換気空間と前記養殖空間とを連通しており、前記排気空間の中にはいずれも支持柱が固定的に設置され、前記支持柱の中にはいずれもファン軸が回転可能に設置され、二つの前記ファン軸のうち互いに遠離した側の面にはいずれも排気ファンが固定的に設置され、二つの前記ファン軸の互いに近接した側の面にはいずれも従動プーリが固定的に設置され、前記排気空間の底壁にはいずれもベルト空間が設置され、二つの前記ベルト空間の間には左右に延びた動力軸が回転可能に設置され、左側の前記ベルト空間の左側の壁体の中には換気モータが固定的に植設され、前記動力軸の左側の延びた部分と前記換気モータとが伝動可能に連結され、前記動力軸のうち前記ベルト空間の中に位置した部分の外周にはいずれも動力プーリが固定的に設置され、前記動力プーリと前記従動プーリとがベルトにより連結されている。
【発明の効果】
【００１３】
本願発明の有益効果は：本願発明の人工養殖用温調水産温室は温調ユニットによって温室内の温度を制御し、水産物に適宜した温度を提供し、水産物の生長に利し、また、本願発明の温室は自動的に換気でき、換気しない時に、温室全体が密封状態にあり、温室内の温度の安定を保証し、また、給餌機構により旋転給餌を行って給餌範囲を広げ、水産物が栄養を取るのを便利にし、また、本願発明の人工養殖用温調水産温室は自動的に養殖空間の水換えを行い、水源の清潔を保証し、また、本願発明の人工養殖用温調水産温室は構造が簡単で、操作が便利で、コストも低廉で、小型水産養殖の使用に適する。
【図面の簡単な説明】
【００１４】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の人工養殖用温調水産温室の全体構成図
【図２】図２は本願発明における給餌機構の拡大図
【図３】図３は本発明の人工養殖用温調水産温室が換気するときの作動状態図
【発明を実施するための形態】
【００１６】
図１〜３の示したように、人工養殖用温調水産温室であって、主体１０と前記主体１０に固定された天井２１とを含み、前記天井２１が透明となっており、前記主体１０の中には養殖空間５０が設置され、前記養殖空間５０の底面には階段３１が固定的に設置され、前記階段３１の中には給排水機構が設置され、前記養殖空間５０のうち頂部に近接したところには梁３７が設置され、前記梁３７が左右に延びており、前記養殖空間５０の左右両側がそれぞれ前記養殖空間５０の左右内壁と固定され、前記梁３７の頂面には固定箱２４が固定的に設置され、前記固定箱２４の中には給餌機構７１が設置され、前記給餌機構７１は回転可能に設置された回転スリーブ４４を含み、前記回転スリーブ４４の底部面には傾斜板３２が固定的に設置され、前記傾斜板３２が傾斜しており、前記回転スリーブ４４の底部が半分程度で開口しているため、飼料が噴出でき、前記固定箱２４の左右両側には温調機構７２が設置され、前記温調機構７２が温室の内部に温調を行うことができ、前記主体１０の左右両側にはいずれも換気箱２０が固定的に設置され、前記換気箱２０の中には換気機構７３が設置され、前記換気機構７３は回転可能な封閉板１９と回転可能な排気ファン２５とを含み、前記排気ファン２５の回転により空気を排出でき、換気を実現し、左右両側の前記換気機構７３は同一動力源により駆動される。
【００１７】
有益的に、前記固定箱２４の中にはＬ型空間４７が形成されており、前記Ｌ型空間４７の左側壁体の中には動力モータ３８が固定的に植設され、前記動力モータ３８の右側面には動力歯車３９が伝動可能に連結され、前記動力歯車３９が前記Ｌ型空間４７の内部に位置し、前記回転スリーブ４４が前記Ｌ型空間４７の底壁の中に回転可能に設置され、且つ前記回転スリーブ４４が上下に延びており、前記回転スリーブ４４の頂部の延びた部分が前記Ｌ型空間４７の中に伸びており且つ前記回転スリーブ４４の頂部の延びた部分の末端にはフェースギヤ４６が設置され、前記フェースギヤ４６が前記動力歯車３９と噛み合っており、前記動力モータ３８の作動を制御して前記動力歯車３９に前記フェースギヤ４６を回転連動させることで、前記回転スリーブ４４を回転させて飼料を投入する。
【００１８】
有益的に、前記Ｌ型空間４７の頂壁の中には空気加圧ポンプ４０が固定的に植設され、前記空気加圧ポンプ４０の底部には給餌管４５が固定的に設置され、前記給餌管４５が前記回転スリーブ４４の中に伸びており、前記空気加圧ポンプ４０の右側の前記固定箱２４の中には飼料空間４２が形成されており、前記空気加圧ポンプ４０の頂部には飼料吸い管４１が固定的に設置され、前記飼料吸い管４１が右側に曲がって前記飼料空間４２の中に伸びており、前記飼料空間４２の後ろ側を開けて前記飼料空間４２の中に飼料を添加することができ、前記空気加圧ポンプ４０の作動により前記飼料空間４２の内部の飼料を前記回転スリーブ４４の中に汲み上げることで、前記回転スリーブ４４を回転させて給餌する。
【００１９】
有益的に、前記梁３７の底面には二つの管柱３６が解体できるように装着され、二つの前記管柱３６が左右対称となり、前記管柱３６の底面にはいずれもトレイ３４が固定的に設置され、前記トレイ３４には緑色植物３５を置くことができる。
【００２０】
有益的に、前記温調機構７２は左右対称の二つの温調ユニット５１を含み、二つの前記温調ユニット５１はいずれも前記梁３７に固定的に設置され、前記温調ユニット５１は熱気と冷気を放出でき、前記天井２１には吸気管路２３が固定的に設置され、前記吸気管路２３の中には逆止弁２２が固定的に設置され、前記逆止弁２２により空気が外界から養殖空間５０に入ることしかできず、前記温調ユニット５１の作用により前記養殖空間５０の内部の温度を調節できる。
【００２１】
有益的に、前記階段３１の頂面は階段型となっており、前記階段３１の内部において底部に近接したところには給排水管路３０が配置され、前記給排水管路３０の左側が後に延びており、且つ前記給排水管路３０の後ろ側末端を開けたり閉じたりすることができ、前記給排水管路３０の中には濾過網５５が固定的に設置され、前記給排水管路３０の中にはまた水ポンプ２９が固定的に設置され、前記水ポンプ２９が前記濾過網５５の左側に位置しており、前記水ポンプ２９の作動を制御して前記養殖空間５０の内部の水を汲み出すことで、水源の変更を行うことができる。
【００２２】
有益的に、二つの前記換気箱２０のうち互いに遠離した側にはいずれも穴付き固定板１６が固定的に設置され、前記換気箱２０の中には換気空間１８が設置され、前記封閉板１９が前記換気空間１８の中に回転可能に設置され、各前記換気空間１８の中にはいずれも上下対称となった二つの前記封閉板１９が設置され、前記封閉板１９と前記穴付き固定板１６との間にはばね１７が装着され、正常状態において、二つの前記封閉板１９が前記換気空間１８を封閉する。
【００２３】
有益的に、前記養殖空間５０の左右両側面にはいずれも排気空間５６が設置され、前記排気空間５６が前記換気空間１８と前記養殖空間５０とを連通しており、前記排気空間５６の中にはいずれも支持柱２６が固定的に設置され、前記支持柱２６の中にはいずれもファン軸２７が回転可能に設置され、二つの前記ファン軸２７のうち互いに遠離した側の面にはいずれも排気ファン２５が固定的に設置され、二つの前記ファン軸２７の互いに近接した側の面にはいずれも従動プーリ２８が固定的に設置され、前記排気空間５６の底壁にはいずれもベルト空間１２が設置され、二つの前記ベルト空間１２の間には左右に延びた動力軸１５が回転可能に設置され、左側の前記ベルト空間１２の左側の壁体の中には換気モータ１１が固定的に植設され、前記動力軸１５の左側の延びた部分と前記換気モータ１１とが伝動可能に連結され、前記動力軸１５のうち前記ベルト空間１２の中に位置した部分の外周にはいずれも動力プーリ１４が固定的に設置され、前記動力プーリ１４と前記従動プーリ２８とがベルト１３により連結され、前記換気モータ１１の作動により前記動力軸１５を回転させて前記排気ファン２５を回転させて送風することで、前記養殖空間５０の内部の換気作動を実現する。
【００２４】
温調を行う時、温調ユニット５１の作動を制御することで、温調ユニット５１に冷却又は加熱を行わせ、温調ユニット５１の内部の温度を変更する。水換えする時、水ポンプ２９の作動を制御することで、水を給排水管路３０から排出し、換気を行う時、換気モータ１１を制御して作動させ、動力軸１５を回転させて動力プーリ１４に従動プーリ２８を回転連動させることにより、ファン軸２７が排気ファン２５を回転連動させて封閉板１９に送風し封閉板１９を揺動させることで、封閉板１９が開き、空気が養殖空間５０から吹き出される。
【００２５】
飼料を投入する時、まず動力モータ３８を作動させ、動力歯車３９にフェースギヤ４６を回転連動させ、フェースギヤ４６が回転スリーブ４４を回転連動させることで、傾斜板３２が回転し、それから空気加圧ポンプ４０を作動させ、飼料を飼料空間４２から飼料吸い管４１に沿って給餌管４５の中に入らせ、それから飼料が回転スリーブ４４の中に入って外に回転して噴出する。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は人工養殖用温調水産温室を開示した。
【解決手段】主体と前記主体に固定された天井とを含み、前記天井が透明となっており、前記主体の中には養殖空間が設置され、前記養殖空間の底面には階段が固定的に設置され、前記階段の中には給排水機構が設置され、前記養殖空間のうち頂部に近接したところには梁が設置され、前記梁が左右に延びており、前記養殖空間の左右両側がそれぞれ前記養殖空間の左右内壁と固定され、前記梁の頂面には固定箱が固定的に設置され、前記固定箱の中には給餌機構が設置され、前記給餌機構は回転可能に設置された回転スリーブを含み、前記回転スリーブの底部面には傾斜板が固定的に設置され、前記傾斜板が傾斜しており、前記回転スリーブの底部が半分程度で開口しているため、飼料が噴出でき、前記固定箱の左右両側には温調機構が設置される。
【選択図】図１【図１】
0006784879.tif 000002
【図２】
0006784879.tif 000003
【図３】
0006784879.tif 000004